(57)【要約】【課題】  この発明は、映像記録装置に記録されている映像コンテンツを、外部接続される取外し自在な記録媒体に記録することを目的とする。【解決手段】  取外し自在な記録媒体への記録が指定された場合は、映像記録装置（３１、３２）に記録されている映像コンテンツが記録され、選択された表示画像が表示された取外し自在な記録媒体を、指定された受け取り場所で受け取り可能とするように構成している。【選択図】    図１
2007226593.tif 000002
【特許請求の範囲】
【請求項１】
映像記録装置の記録媒体に記録されている映像コンテンツを、インターネットを介して外部接続される取外し自在な記録媒体に記録する映像コンテンツの記録システムにおいて、
映像記録装置の記録媒体に映像コンテンツを記録する映像コンテンツ記録手段と、
前記映像コンテンツ記録手段を含む映像記録装置にインターネットを介して接続され、映像コンテンツを記録可能な第１のサーバーと、
前記映像コンテンツ記録手段を含む映像記録装置にインターネットを介して接続され、前記取外し自在な記録媒体上に表示するための複数の表示画像が記録されている第２のサーバーを備え、
前記映像記録装置は外部接続される取外し自在な記録媒体への記録を指定させる手段と、第２のサーバーに記録されている複数の表示画像の中から前記取外し自在な記録媒体上に表示するための表示画像を選択させる手段と、映像コンテンツが記録された取外し自在な記録媒体を受け取る場所を指定させる手段を備え、前記取外し自在な記録媒体への記録が指定された場合に、映像記録装置の記録媒体に記録されている映像コンテンツが取外し自在な記録媒体に記録され、前記複数の中から選択された表示画像が表示された取外し自在な記録媒体を前記指定された受け取り場所で受け取り可能にすることを特徴とする映像コンテンツの記録システム。
【請求項２】
前記映像コンテンツの記録システムは、前記映像コンテンツを記録するための取外し自在な記録媒体を複数の中から選択させる手段をさらに備えることを特徴とする請求項１に記載の映像コンテンツの記録システム。
【請求項３】
前記取外し自在な記録媒体への記録を指定させる手段は、さらに前記映像記録装置に関する機器情報を送信させる手段を備えることを特徴とする請求項１または２に記載の映像コンテンツの記録システム。
【請求項４】
前記取外し自在な記録媒体上に表示するための複数の表示画像はＣＭ情報を含むことを特徴とする請求項１乃至３に記載の映像コンテンツの記録システム。
【請求項５】
映像記録装置の記録媒体に記録されている映像コンテンツを、インターネットを介して外部接続される取外し自在な記録媒体に記録する映像コンテンツの記録方法において、
映像記録装置の記録媒体に映像コンテンツを記録するステップと、
前記映像記録装置にインターネットを介して接続され、映像コンテンツを記録可能な第１のサーバーと、
前記映像記録装置にインターネットを介して接続され、前記取外し自在な記録媒体上に表示するための複数の表示画像が記録されている第２のサーバーを備え、
前記映像記録装置は外部接続される取外し自在な記録媒体への記録を指定させるステップと、第２のサーバーに記録されている複数の表示画像の中から前記取外し自在な記録媒体上に表示するための表示画像を選択させるステップと、映像コンテンツが記録された取外し自在な記録媒体を受け取る場所を指定させるステップを備え、前記取外し自在な記録媒体への記録が指定された場合は、映像記録装置の記録媒体に記録されている映像コンテンツが記録され、前記複数の中から選択された表示画像が表示された取外し自在な記録媒体を前記指定された受け取り場所で受け取り可能にすることを特徴とする映像コンテンツの記録方法。
【請求項６】
前記映像コンテンツの記録方法は、前記映像コンテンツを記録するための取外し自在な記録媒体を複数の中から選択させるステップをさらに備えることを特徴とする請求項５に記載の映像コンテンツの記録方法。
【請求項７】
前記取外し自在な記録媒体への記録を指定させるステップは、さらに前記映像記録装置に関する機器情報を送信させるステップを備えることを特徴とする請求項５または６に記載の映像コンテンツの記録方法。
【請求項８】
映像記録装置の記録媒体に記録されている映像コンテンツを、インターネットを介して外部接続される取外し自在な記録媒体に記録する映像コンテンツの記録システムに用いられる映像記録装置において、
記録媒体に映像コンテンツを記録する映像コンテンツ記録手段と、
前記映像コンテンツ記録手段を含む映像記録装置にインターネットを介して接続され、映像コンテンツを記録可能な第１のサーバーと、
前記映像コンテンツ記録手段を含む映像記録装置にインターネットを介して接続され、前記取外し自在な記録媒体上に表示するための複数の表示画像が記録されている第２のサーバーを備えたシステムに用いられ、外部接続される取外し自在な記録媒体への記録を指定させる手段と、第２のサーバーに記録されている複数の表示画像の中から前記取外し自在な記録媒体上に表示するための表示画像を選択させる手段と、映像コンテンツが記録された取外し自在な記録媒体を受け取る場所を指定させる手段を備え、前記取外し自在な記録媒体への記録が指定された場合は、映像記録装置の記録媒体に記録されている映像コンテンツが記録され、前記複数の中から選択された表示画像が表示された取外し自在な記録媒体を前記指定された受け取り場所で受け取り可能にすることを特徴とする映像記録装置。
【発明の詳細な説明】
【技術分野】
【０００１】
この発明は、映像コンテンツの記録システムに関し、特にユーザが所有する映像記録装置に記録された映像コンテンツの記録システムに関する。
【背景技術】
【０００２】
現在、ＨＤＤ等の記憶媒体を内蔵した録画機と、ビデオ・テープやＤＶＤ（デジタルビデオディスク）等の取外し自在な記録媒体を用いた録画機（あるいはＨＤＤとビデオ・テープやＤＶＤを組み合わせたコンボ録画機）を用いることで、ＨＤＤに記録された映像コンテンツを取外し自在な記録媒体（ビデオ・テープやＤＶＤ）に記録（コピー）することが可能になっている。
【０００３】
しかし、この記録媒体（ビデオ・テープやＤＶＤ）の備えがなければ上記映像コンテンツのコピーはできなかった。
【０００４】
そこで、近年、視聴者側の記録メディア切れなど録画できない場合であっても番組の予約録画を代行してサービスする技術が開示されている（特許文献１）。
【０００５】
すなわち、特許文献１に開示された技術は録画要求及び／又は録画予約要求された放送番組の録画が可能か否かに応じて録画処理代行を依頼している。
【特許文献１】特開2001-346137
【発明の開示】
【発明が解決しようとする課題】
【０００６】
しかしながら、上記開示技術においては、ユーザが取外し自在な記録媒体に、映像コンテンツのコピーを所望するタイミングは、録画要求や録画予約とは必ずしも一致しないという問題があった。また、ユーザは取外し自在な記録媒体を受け取る場所を指定することができないという問題があった。したがって、製品への応用という点で、まだ開示が充分ではなかった。
【０００７】
そこでこの発明は、映像記録装置に記録されている映像コンテンツを、外部接続される取外し自在な記録媒体に記録することを目的とする。また、選択された表示画像を取外し自在な記録媒体上に表示させることを目的とする。また、取外し自在な記録媒体を指定された受け取り場所で受け取り可能にすることを目的とする。
【課題を解決するための手段】
【０００８】
この発明に係る映像コンテンツの記録システムは、映像記録装置の記録媒体に映像コンテンツを記録する映像コンテンツ記録手段と、前記映像コンテンツ記録手段を含む映像記録装置にインターネットを介して接続され、映像コンテンツを記録可能な第１のサーバーと、前記映像コンテンツ記録手段を含む映像記録装置にインターネットを介して接続され、前記取外し自在な記録媒体上に表示するための複数の表示画像が記録されている第２のサーバーを備え、前記映像記録装置は外部接続される取外し自在な記録媒体への記録を指定させる手段と、第２のサーバーに記録されている複数の表示画像の中から前記取外し自在な記録媒体上に表示するための表示画像を選択させる手段と、映像コンテンツが記録された取外し自在な記録媒体を受け取る場所を指定させる手段を備え、前記取外し自在な記録媒体への記録が指定された場合は、映像記録装置の記録媒体に記録されている映像コンテンツが記録され、前記複数の中から選択された表示画像が表示された取外し自在な記録媒体を前記指定された受け取り場所で受け取り可能にするように構成している。
【０００９】
この発明に係る映像コンテンツの記録方法は、映像記録装置の記録媒体に映像コンテンツを記録するステップと、前記映像記録装置にインターネットを介して接続され、映像コンテンツを記録可能な第１のサーバーと、前記映像記録装置にインターネットを介して接続され、前記取外し自在な記録媒体上に表示するための複数の表示画像が記録されている第２のサーバーを備え、前記映像記録装置は外部接続される取外し自在な記録媒体への記録を指定させるステップと、第２のサーバーに記録されている複数の表示画像の中から前記取外し自在な記録媒体上に表示するための表示画像を選択させるステップと、映像コンテンツが記録された取外し自在な記録媒体を受け取る場所を指定させるステップを備え、前記取外し自在な記録媒体への記録が指定された場合は、映像記録装置の記録媒体に記録されている映像コンテンツが記録され、前記複数の中から選択された表示画像が表示された取外し自在な記録媒体を前記指定された受け取り場所で受け取り可能にするように構成している。
【００１０】
この発明に係る映像記録装置は、記録媒体に映像コンテンツを記録する映像コンテンツ記録手段と、前記映像コンテンツ記録手段を含む映像記録装置にインターネットを介して接続され、映像コンテンツを記録可能な第１のサーバーと、前記映像コンテンツ記録手段を含む映像記録装置にインターネットを介して接続され、前記取外し自在な記録媒体上に表示するための複数の表示画像が記録されている第２のサーバーを備えたシステムに用いられ、外部接続される取外し自在な記録媒体への記録を指定させる手段と、第２のサーバーに記録されている複数の表示画像の中から前記取外し自在な記録媒体上に表示するための表示画像を選択させる手段と、映像コンテンツが記録された取外し自在な記録媒体を受け取る場所を指定させる手段を備え、前記取外し自在な記録媒体への記録が指定された場合は、映像記録装置の記録媒体に記録されている映像コンテンツが記録され、前記複数の中から選択された表示画像が表示された取外し自在な記録媒体を前記指定された受け取り場所で受け取り可能にするように構成している。
【発明の効果】
【００１１】
上記のように構成することによって、映像記録装置に記録されている映像コンテンツを、外部接続される取外し自在な記録媒体に記録することが可能となるという効果がある。また、選択された表示画像を取外し自在な記録媒体上に表示させることが可能となるという効果がある。また、取外し自在な記録媒体を指定された受け取り場所で受け取り可能にすることが可能となるという効果がある。
【発明を実施するための最良の形態】
【００１２】
以下、この発明の実施の形態について図面を参照して説明する。
【００１３】
図１は、この発明の実施の形態に係る映像コンテンツの記録システムを示す図である。
【００１４】
符号１０はネットワーク（インターネット）、符号１１は第１のサーバー（センターサーバー）、符号１２は第２のサーバー（コンテンツサーバー）、符号２１は記録媒体受け取り店舗Ａ、符号２２は記録媒体受け取り店舗Ｂ、符号３１は映像記録装置（映像コンテンツ記録手段）、符号３２は映像記録装置（映像コンテンツ記録手段）である。
【００１５】
この発明は映像記録装置（映像コンテンツ記録手段３１、映像コンテンツ記録手段３２）の記録媒体（内蔵ＨＤＤ等、図示せず）に記録されている映像コンテンツを、インターネット（ネットワーク）１０を介して、外部接続される取外し自在な記録媒体（例えばＤＶＤ、メモリカード等）に記録する映像コンテンツの記録システムに関する。
【００１６】
映像記録装置（映像コンテンツ記録手段３１、映像コンテンツ記録手段３２）の記録媒体（図示せず）に映像コンテンツが記録される（映像コンテンツ記録手段）。
【００１７】
第１のサーバー（センターサーバー）１１は、この映像コンテンツ記録手段を含む映像記録装置（３１、３２）にインターネット１０を介して接続され、映像コンテンツを記録する。第２のサーバー（コンテンツサーバー）１２は、映像コンテンツ記録手段を含む映像記録装置（３１、３２）にインターネットを介して接続され、取外し自在な記録媒体上に表示するための複数の表示画像が記録されている。
【００１８】
映像記録装置（３１、３２）は後述するように、外部接続される取外し自在な記録媒体（ＤＶＤやメモリカード等）への記録を指定させる手段を備えている（図２（ａ）、図２（ｂ））。また、第２のサーバーに記録されている複数の表示画像の中から前記取外し自在な記録媒体上に表示するための表示画像を選択させる手段を備えている（図２（ｄ））。
【００１９】
また、映像コンテンツが記録された取外し自在な記録媒体を受け取る場所（記録媒体受け取り店舗Ａ２１、記録媒体受け取り店舗Ｂ２２等）を指定させる手段を備えている（図２（ｅ））。
【００２０】
また、映像コンテンツを記録するための取外し自在な記録媒体を複数の中から選択させる手段を備えている（図２（ｃ））。
【００２１】
そして、取外し自在な記録媒体への記録が指定された場合に、映像記録装置（３１、３２）の記録媒体に記録されている映像コンテンツが取外し自在な記録媒体に記録され、前記複数の中から選択された表示画像が表示された取外し自在な記録媒体を前記指定された受け取り場所で受け取り可能にするように構成されている。
【００２２】
上記取外し自在な記録媒体への記録を指定させる手段は、映像記録装置（３１、３２）に関する機器情報を送信させる手段を備えるように構成されている。
【００２３】
すなわち、ユーザが記録再生装置（３１、３２）を操作し、ユーザがDVDへの記録方式や本体搭載のドライブで記録するか、店舗で受け取るか等を選択する構成になっている。
【００２４】
そして、ユーザが『店舗で受け取る』を選択すると、注文情報と機種情報がネットワーク（１０）を介してセンターサーバ（１１）へ送信される。送信された注文情報と機種情報より、センターサーバー（１１）内に存在する『記録メディアテーブル』を用いて、ユーザの機種に対応した記録メディア（ＤＶＤ、メモリカード等）を抽出し、テーブル情報として、記録再生装置（３１、３２）に送信する。
【００２５】
前記情報を受信した記録再生装置（３１，３２）は、ユーザに対して記録メディア選択を表示する（図２（ｃ））。そして、ユーザによってメディアが決定されると、センターサーバ（１１）へ記録メディア注文情報が送信される。
【００２６】
センターサーバー（１１）では、前記記録メディア注文情報を受信し、画像コンテンツ案内を送信する。記録再生装置（３１、３２）は、画像コンテンツ案内を受信し、画像コンテンツ購入選択を表示する（図２（ｄ））。
【００２７】
画像コンテンツの購入が選択されると、センターサーバ（１１）はその旨を受信し、画像コンテンツ案内情報を送信する。
【００２８】
記録再生装置（３１，３２）は、前記画像コンテンツ案内情報を受信し、コンテンツ画像一覧を表示する（図２（ｄ））。ユーザが所望の画像を選択すると選択画像情報が送信される。
【００２９】
センターサーバ（１１）は、選択画像情報を受信し、コンテンツサーバ（１２）より画像をダウンロードする。注文情報より、受取店舗テーブルを作成し、受取店舗テーブルを送信する。
【００３０】
記録生成装置（２１，２２）は、受取店舗テーブルを受信し、受取店舗の選択画面を表示する（図２（        ｅ））。受取店舗が決定されると受け取り店舗情報がセンターサーバ（１１）へ送信される。
【００３１】
センターサーバ（１１）は、受け取り店舗情報を受信し、選択された店舗のメディア記録装置（２１，２２）に、注文に関する情報が送信される。
【００３２】
図２は、この発明の実施の形態に係る記録システムの記録再生装置における動作を示すフローチャートおよび各動作におけるユーザの選択画面を示す図である。
【００３３】
図２（ａ）は、この発明の実施の形態に係る記録システムの記録再生装置における注文情報の選択動作を説明する図である。
【００３４】
図２（ｂ）は、この発明の実施の形態に係る記録システムの記録再生装置における機種情報の選択動作の一例を示す図である。
【００３５】
図２（ｃ）は、この発明の実施の形態に係る記録システムの記録再生装置における記録媒体（例えばＤＶＤディスク）の選択動作の一例を示す図である。
【００３６】
図２（ｄ）は、この発明の実施の形態に係る記録システムの記録再生装置におけるコンテンツ画像（例えばＤＶＤのレーベル）の選択動作の一例を示す図である。
【００３７】
図２（ｅ）は、この発明の実施の形態に係る記録システムの記録再生装置における受け取り店舗の選択動作の一例を示す図である。
【００３８】
符号１００はここでの開始ステップである。続いて符合１０１を付したステップへ進む。
【００３９】
符号１０１は注文情報および機種情報を第１のサーバー（センターサーバー）１１へ送信するステップである。
【００４０】
このとき  記録再生装置（３１、３２）は図示しない表示装置に図２（ａ）に示す注文情報の選択画面を表示する。ここでは、ユーザはこの選択画面から「店舗で受け取る」を選択する。また、図２（ｂ）はこの発明の実施の形態に係る記録システムの記録再生装置における機種情報の入力画面の一例である。ユーザはこの入力画面から記録再生装置の機種情報を入力する。これらの情報はセンターサーバー１１へ送信される。なお、この機種情報はユーザの入力動作を介さず、記録再生装置（３１、３２）から直接送信してもよい。また、この入力動作を上記と同様に選択画面とすることも可能である。続いて符合１０２を付したステップへ進む。
【００４１】
符号１０２はセンターサーバー１１から送信された機種対応の記録メディアテーブルを受信するステップである。機種情報を受信したセンターサーバー１１はセンターサーバー１１に記憶されている記録メディアテーブルを機種情報が送信された記録再生装置（３１、３２）に向けて返信する。そして、記録再生装置（３１、３２）は、センターサーバー１１から送信された機種対応の記録メディアテーブルを受信する。記録再生装置（３１、３２）は、この機種対応の記録メディアテーブルを受信し、図２（ｃ）に示す記録媒体（例えばＤＶＤディスク）の選択画面を表示する。
【００４２】
ここではユーザが使用している機種に対応する取外し自在な記録媒体が選択可能に表示される。ここではＡ社、Ｂ社、Ｃ社、Ｄ社のＤＶＤディスクが選択可能に表示されている。ユーザはこの表示の中から取外し自在な記録媒体を選択する。続いて符合１０３を付したステップへ進む。
【００４３】
符号１０３は記録メディアが選択されるステップである。ここでは、上記のようにユーザによって取外し自在な記録媒体が選択される。続いて符合１０４を付したステップへ進む。
【００４４】
符号１０４は画像コンテンツ（コンテンツ画像：例えばＤＶＤのレーベル）を購入するか否かを判断するステップである。画像コンテンツを購入する場合は符号１０５を付したステップへ進む（Ｙｅｓ）。画像コンテンツを購入しない場合は符号１１３を付したステップへ進む（Ｎｏ）。
【００４５】
符号１１３はＣＭ情報をプリントする／しない、を選択するステップである。ここでは、図示しない表示画面からユーザによってＣＭ情報をプリントするまたはしないが選択される。すなわち、取り外し自在な記録媒体上(レーベル)に記録する画像(コンテンツ)は、必ずしもユーザが選択できるとは限らず、ユーザが選択できない場合も考えられる。例えば、これらのレーベルに印刷する情報は、有料のコンテンツでもよい。また、企業のCM等でもよい。続いて符合１０８を付したステップへ進む。
【００４６】
符号１０５は記録再生装置（３１、３２）がコンテンツサーバー１１と通信を行い、コンテンツ画像一覧（コンテンツ画像データ）を受信するステップである。図２（ｄ）は、記録再生装置（３１、３２）によって図示しない表示部に表示されたコンテンツ画像（例えばＤＶＤのレーベル）の選択画面である。ユーザはこのコンテンツ画像選択画面の中から希望のコンテンツ画像を選択する。続いて符合１０５を付したステップへ進む。
【００４７】
符号１０６は上記のようにコンテンツ画像が選択されるステップである。続いて符合１０７を付したステップへ進む。
【００４８】
符号１０７は選択されたコンテンツ画像に係る情報を記録再生装置（３１、３２）からセンターサーバー１１へ送信するステップである。続いて符合１０８を付したステップへ進む。
【００４９】
符号１０８は記録再生装置（３１、３２）がコンテンツサーバー１１と通信を行い、コンテンツサーバー１１に記憶される店舗テーブルを受信するステップである。続いて符合１０９を付したステップへ進む。
【００５０】
符号１０９はコンテンツサーバー１１から送信された店舗テーブルを記録再生装置（３１、３２）が受信し、図２（ｅ）に示す受け取り店舗選択画面を表示するステップである。ユーザはこの受け取り店舗選択画面に表示された受け取り店舗の中から所望の受け取り場所を選択する。続いて符合１１０を付したステップへ進む。
【００５１】
符号１１０は記録再生装置（３１、３２）からコンテンツサーバー１１に向けて上記選択された受け取り店舗に関する情報を送信するステップである。続いて符合１１１を付したステップへ進む。
【００５２】
符号１１１は記録再生装置（３１、３２）からコンテンツサーバー１１に向けて、記録再生装置（３１、３２）の記録媒体に記録されている映像コンテンツを、インターネットを介して送信するステップである。続いて符合１１２を付したステップへ進む。
【００５３】
符号１１２は終了ステップであり、ここでの処理は終了する。
【００５４】
図３はこの発明の実施の形態に係る記録システムのセンターサーバー１１における動作を示すフローチャートである。
【００５５】
図３（ａ）は、この発明の実施の形態に係る記録システムのセンターサーバー１１内に記録されている記録メディアテーブルの一例を示す図である。
【００５６】
図３（ｂ）は、この発明の実施の形態に係る記録システムのセンターサーバー１１内に記録されている受け取り店舗テーブルの一例を示す図である。
【００５７】
符号２００はここでの開始ステップである。続いて符合２０１を付したステップへ進む。
【００５８】
符号２０１は記録再生装置（３１、３２）から送信された注文情報を第１のサーバー（センターサーバー）１１が受信するステップである。続いて符合２０２を付したステップへ進む。
【００５９】
符号２０２は第１のサーバー（センターサーバー）１１が受信した注文情報から記録メディアテーブル情報を抽出するステップである。ここでは一例として、図３（ａ）に示す記録メディアテーブルが用いられる。続いて符合２０３を付したステップへ進む。
【００６０】
符号２０３は上記のように第１のサーバー（センターサーバー）１１で抽出された記録メディアテーブル情報を記録再生装置（３１、３２）に向けて送信するステップである。続いて符合２０４を付したステップへ進む。
【００６１】
符号２０４は上記のように記録再生装置（３１、３２）から送信された記録メディア注文情報を受信するステップである。続いて符合２０５を付したステップへ進む。
【００６２】
符号２０５は第１のサーバー（センターサーバー）１１から記録再生装置（３１、３２）へ向けて画像コンテンツ情報案内を送信するステップである。続いて符合２０６を付したステップへ進む。
【００６３】
符号２０６は上記のようにユーザによって画像コンテンツを購入するか否かが判断されるステップである。画像コンテンツを購入すると判断される場合は符号２０７を付したステップへ進む（Ｙｅｓ）。画像コンテンツを購入しないと判断される場合は符号２０９を付したステップへ進む（Ｎｏ）。
【００６４】
符号２０７は上記のように第１のサーバー（センターサーバー）１１から記録再生装置（３１、３２）へ向けて画像コンテンツ一覧を送信するステップである。続いて符合２０８を付したステップへ進む。
【００６５】
符号２０８は記録再生装置（３１、３２）から第１のサーバー（センターサーバー）１１に向けて送信された画像コンテンツ情報を受信するステップである。続いて符合２０９を付したステップへ進む。
【００６６】
符号２０９は上記のように記録再生装置（３１、３２）から送信された情報を用い、第１のサーバー（センターサーバー）１１内に受け取り店舗テーブルを作成するステップである。続いて符合２１０を付したステップへ進む。
【００６７】
符号２１０は上記のように第１のサーバー（センターサーバー）１１内に作成された受け取り店舗テーブルを記録再生装置（３１、３２）に向けて送信するステップである。ここでは一例として、図３（ｂ）に示す受け取り店舗テーブルが用いられる。続いて符合２１１を付したステップへ進む。
【００６８】
符号２１１は上記のようにユーザによって受け取り店舗が選択され、この受け取り店舗に係る情報（受け取り店舗情報）が記録再生装置（３１、３２）から送信され、第１のサーバー（センターサーバー）１１で受信するステップである。続いて符合２１２を付したステップへ進む。
【００６９】
符号２１２はセンターサーバー１１がメディア記録装置（２１、２２）において選択され、送信された受け取り店舗情報を受信し、受け取り店舗に対して、注文に関する情報（注文データ）送信するステップである。続いて符合２１３を付したステップへ進む。
【００７０】
符号２１３は記録再生装置（３１、３２）から送信されたコンテンツ（映像記録装置の記録媒体に記録されている映像コンテンツ）をセンターサーバー１１が受信し、記録するステップである。続いて符合２１４を付したステップへ進む。
【００７１】
符号２１４はセンターサーバー１１に記録されたコンテンツ（映像記録装置の記録媒体に記録されている映像コンテンツ）を上記選択された受け取り店舗へ送信するステップである。続いて符合２１５を付したステップへ進む。
【００７２】
符号２１５は終了ステップであり、ここでの処理は終了する。
【００７３】
上記のように構成することによって、映像記録装置に記録されている映像コンテンツを、外部接続される取外し自在な記録媒体に記録することが可能となるという効果がある。また、選択された表示画像を取外し自在な記録媒体上に表示させることが可能となるという効果がある。また、取外し自在な記録媒体を指定された受け取り場所で受け取り可能にすることが可能となるという効果がある。また、上記説明したように、取り外し自在な記録媒体(CD,DVD)等の表面に、スポンサー企業等のCM情報をプリントすることによって、例えばスポンサー企業等が記録媒体に要する費用を一部または全部負担することで、前記取り外し自在な記録媒体をユーザに安く提供する事が可能となるという効果がある。このとき、DVD等のレーベルはユーザが取り扱う際に必ず見るもので、広告効果も非常に高いと考えられる。このため、スポンサーとなる企業、ユーザ（消費者）共にメリットを享受できる。
【００７４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７５】
【図１】この発明の実施の形態に係る映像コンテンツの記録システムを示す図。
【図２】この発明の実施の形態に係る記録システムの記録再生装置における動作を示すフローチャートおよび各動作におけるユーザの選択画面を示す図。
【図３】この発明の実施の形態に係る記録システムのセンターサーバーにおける動作を示すフローチャート。
【符号の説明】
【００７６】
１０…ネットワーク（インターネット）、１１…第１のサーバー（センターサーバー）、１２…第２のサーバー（コンテンツサーバー）、２１…記録媒体受け取り店舗Ａ、２２…記録媒体受け取り店舗Ｂ、３１…映像記録装置（映像コンテンツ記録手段）、３２…映像記録装置（映像コンテンツ記録手段）。
【図１】
2007226593.tif 000003
【図２】
2007226593.tif 000004
【図３】
2007226593.tif 000005